(57)【要約】【課題】定められた設置姿勢以外の姿勢での使用を抑制することが可能な通信装置を提供する。【解決手段】筐体２と、筐体２内に収容されている通信制御用の通信用回路基板３と、通信用回路基板３に搭載された各デバイス４に電源を供給するための電源回路５と、筐体２の重力方向に対する傾斜角度が予め設定された角度範囲外であるとき、電源回路５から各デバイス４への電源供給を遮断する設置異常時電源遮断手段１０と、を備えた。【選択図】図１
2017188714.tif 000002
【特許請求の範囲】
【請求項１】
筐体と、
前記筐体内に収容されている通信制御用の通信用回路基板と、
前記通信用回路基板に搭載された各デバイスに電源を供給するための電源回路と、
前記筐体の重力方向に対する傾斜角度が予め設定された角度範囲外であるとき、前記電源回路から前記各デバイスへの電源供給を遮断する設置異常時電源遮断手段と、を備えた、
通信装置。
【請求項２】
前記電源回路は、外部電源から供給された交流電源信号を直流電源信号に変圧するＡＣ−ＤＣコンバータと、前記ＡＣ−ＤＣコンバータから出力された直流電源信号を所定の電圧に変圧して前記デバイスに出力するＤＣ−ＤＣコンバータと、を有し、
前記設置異常時電源遮断手段は、前記ＡＣ−ＤＣコンバータと前記ＤＣ−ＤＣコンバータ間で直流電源信号を伝送する電路に設けられ、前記筐体の重力方向に対する傾斜角度が予め設定された角度範囲外であるとき、接点部材が接点から離間して前記電路を遮断するように構成された傾斜スイッチを有する、
請求項１に記載の通信装置。
【請求項３】
前記電源回路は、外部電源から供給された交流電源信号を直流電源信号に変圧するＡＣ−ＤＣコンバータと、前記ＡＣ−ＤＣコンバータから出力された直流電源信号を所定の電圧に変圧して前記デバイスに出力するＤＣ−ＤＣコンバータと、を有し、
前記ＤＣ−ＤＣコンバータは、出力制御信号を入力するための出力制御信号入力端子を有し、前記出力制御信号入力端子から前記出力制御信号が入力されているときに前記デバイスに直流電源信号を出力するように構成され、
前記設置異常時電源遮断手段は、
前記ＡＣ−ＤＣコンバータから出力された直流電源信号を変圧して前記出力制御信号を生成する変圧手段と、
前記変圧手段の出力と前記ＤＣ−ＤＣコンバータの前記出力制御信号入力端子とを接続する出力制御信号用配線と、
前記出力制御信号用配線に設けられ、前記筐体の重力方向に対する傾斜角度が予め設定された角度範囲外であるとき、接点部材が接点から離間して前記出力制御信号用配線の導通を遮断するように構成された傾斜スイッチと、を有している、
請求項１に記載の通信装置。
【請求項４】
前記電源回路は、外部電源から供給された交流電源信号を直流電源信号に変圧するＡＣ−ＤＣコンバータと、前記ＡＣ−ＤＣコンバータから出力された直流電源信号を所定の電圧に変圧して前記デバイスに出力するＤＣ−ＤＣコンバータと、を有し、
前記ＤＣ−ＤＣコンバータは、出力制御信号を入力するための出力制御信号入力端子を有し、前記出力制御信号入力端子から前記出力制御信号が入力されているときに前記デバイスに直流電源信号を出力するように構成され、
前記設置異常時電源遮断手段は、
前記ＡＣ−ＤＣコンバータが出力する直流電源信号により駆動され、前記筐体の重力方向に対する傾斜角度を検出する傾斜センサと、
前記ＡＣ−ＤＣコンバータが出力する直流電源信号により駆動され、前記傾斜センサが検出した傾斜角度が予め設定された角度範囲外であるかを判定し、当該判定に応じて、前記ＤＣ−ＤＣコンバータの前記出力制御信号入力端子に出力する前記出力制御信号を制御する傾斜監視部と、を有している、
請求項１に記載の通信装置。
【請求項５】
前記傾斜監視部は、
電源投入時に前記傾斜センサが検出した傾斜角度が予め設定された角度範囲外であるとき、前記ＤＣ−ＤＣコンバータに前記出力制御信号を出力しないように構成され、
かつ、前記デバイスに電源供給を開始した後に前記傾斜センサが検出した傾斜角度が予め設定された角度範囲外となったとき、所定時間前記ＤＣ−ＤＣコンバータへの前記出力制御信号の出力を継続しつつ警告を発した後に、前記出力制御信号を停止するように構成される、
請求項４に記載の通信装置。
【発明の詳細な説明】
【技術分野】
【０００１】
本発明は、通信装置に関する。
【背景技術】
【０００２】
ネットワークスイッチやルータ等の通信装置として、設置姿勢（設置方向）が仕様により予め定められたものがある。例えば、横置き用の通信装置を縦置きで使用した場合には、装置内の冷却が正常に行われず、故障や異常動作の原因になる。
【０００３】
特許文献１では、電源ユニットを複数備え、設置方向に応じて、冷却が効率よく作用する位置の電源ユニットを選択して使用することが提案されている。
【先行技術文献】
【特許文献】
【０００４】
【特許文献１】特許第４６６７４２２号公報
【発明の概要】
【発明が解決しようとする課題】
【０００５】
しかしながら、特許文献１では、電源ユニットを複数備える必要があるため、装置の構造が複雑となり、コストが高くなるおそれがある、という問題がある。
【０００６】
また、例えばヒートシンク等の部材が両面テープで固定された通信装置も知られており、このような通信装置では、仕様により定められた設置姿勢以外の姿勢で通信装置を設置すると、部材の脱落等の不具合が発生するおそれがある。
【０００７】
そこで、本発明は、定められた設置姿勢以外の姿勢での使用を抑制することが可能な通信装置を提供することを目的とする。
【課題を解決するための手段】
【０００８】
本発明は、上記課題を解決することを目的として、筐体と、前記筐体内に収容されている通信制御用の通信用回路基板と、前記通信用回路基板に搭載された各デバイスに電源を供給するための電源回路と、前記筐体の重力方向に対する傾斜角度が予め設定された角度範囲外であるとき、前記電源回路から前記各デバイスへの電源供給を遮断する設置異常時電源遮断手段と、を備えた、通信装置を提供する。
【発明の効果】
【０００９】
本発明によれば、定められた設置姿勢以外の姿勢での使用を抑制することが可能な通信装置を提供できる。
【図面の簡単な説明】
【００１０】
【図１】本発明の一実施の形態に係る通信装置を示す図であり、（ａ）は概略構成図、（ｂ）は電源回路を示す模式図である。
【図２】傾斜スイッチの一例を示す模式図である。
【図３】本発明の他の実施の形態に係る通信装置の電源回路を示す模式図である。
【図４】本発明の他の実施の形態に係る通信装置の電源回路を示す模式図である。
【図５】図４の通信装置において、傾斜監視部の制御フローを示すフロー図である。
【図６】図４の通信装置において、複数の傾斜センサを用いる場合の傾斜センサの配置を示す図である。
【発明を実施するための形態】
【００１１】
［実施の形態］
以下、本発明の実施の形態を添付図面にしたがって説明する。
【００１２】
図１は、本実施の形態に係る通信装置を示す図であり、（ａ）は概略構成図、（ｂ）は電源回路を示す模式図である。
【００１３】
図１（ａ），（ｂ）に示すように、通信装置１は、筐体２と、筐体２内に収容されている通信制御用の通信用回路基板３と、通信用回路基板３に搭載された各デバイス４に電源を供給するための電源回路５と、を備えている。
【００１４】
通信装置１は、例えばネットワークスイッチやルータである。筐体２のフロントパネル２ａには、他の通信装置と通信を行うための複数のポート６が設けられている。ここでは、ポート６の数が４つである場合を示しているが、ポート６の数はこれに限定されない。
【００１５】
電源回路５は、図示しない外部電源からＡＣインレット７を介して供給された交流電源信号を直流電源信号に変圧するＡＣ−ＤＣコンバータ８と、ＡＣ−ＤＣコンバータ８から出力された直流電源信号を所定の電圧に変圧してデバイス４に出力する複数のＤＣ−ＤＣコンバータ９と、を有している。
【００１６】
通信用回路基板３に搭載されたデバイス４としては、例えば、スイッチＬＳＩ、ＣＰＵ、メモリ、ＦＰＧＡ（Field-Programmable Gate Array）等が挙げられる。ＤＣ−ＤＣコンバータ９は、ＡＣ−ＤＣコンバータ８から出力された直流電源信号を、当該ＤＣ−ＤＣコンバータ９に接続されたデバイス４の駆動に要求される適切な電圧に変圧して、デバイス４に出力するように構成される。
【００１７】
さて、本実施の形態に係る通信装置１は、筐体２の重力方向に対する傾斜角度が予め設定された角度範囲外であるとき、電源回路５から各デバイス４への電源供給を遮断する設置異常時電源遮断手段１０を備えている。
【００１８】
設置異常時電源遮断手段１０は、つまり、通信装置１が仕様により定められた設置姿勢と異なる姿勢で設置されているときに、通信用回路基板３に搭載された各デバイス４への電源供給を停止するものである。設置異常時電源遮断手段１０を備えることで、通信装置１が予め定められた設置姿勢と異なる姿勢で設置されているときには、通信装置１を使用できなくなり、通信装置１を正しい設置姿勢で使用することが促される。
【００１９】
なお、筐体２の重力方向に対する傾斜角度とは、筐体２の任意の基準面（例えば側面や底面）、あるいは筐体２の任意の基準軸（例えば奥行方向および幅方向の中心を通る中心軸）の重力方向に対する傾斜角度を意味する。本実施の形態では、筐体２の底面と平行に配置された通信用回路基板３の法線方向の重力方向に対する傾斜角度を、筐体２の重力方向に対する傾斜角度として用いた。
【００２０】
本実施の形態では、設置異常時電源遮断手段１０は、ＡＣ−ＤＣコンバータ８とＤＣ−ＤＣコンバータ９間で直流電源信号を伝送する電路に設けられた傾斜スイッチ１１（水平センサ）からなる。
【００２１】
傾斜スイッチ１１は、筐体２の重力方向に対する傾斜角度が予め設定された角度範囲外であるとき、接点部材が接点から離間してＡＣ−ＤＣコンバータ８とＤＣ−ＤＣコンバータ９間の電路を遮断するように構成されている。本実施の形態では、傾斜スイッチ１１は、通信用回路基板３に搭載されている。
【００２２】
傾斜スイッチ１１の具体的な構成の一例を図２に示す。図２に示す傾斜スイッチ１１は、離間して配置された２つの板状の電極２１と、球状の接点部材２２と、を有している。一方の電極２１は、ＡＣ−ＤＣコンバータ８に電気的に接続され、他方の電極２１は、各ＤＣ−ＤＣコンバータ９の入力に電気的に接続されている。両電極２１は、互いに近づくほど下方に傾斜して設けられており、両電極２１の間に接点部材２２が嵌り込むことで、接点部材２２が両電極２１に接触し、両電極２１が接点部材２２を介して電気的に接続されるように構成されている。
【００２３】
この傾斜スイッチ１１では、傾斜スイッチ１１が設けられた部材（ここでは通信用回路基板３）が傾くと、接点部材２２が両電極２１間の接点から離間し、接点が開放されてＡＣ−ＤＣコンバータ８とＤＣ−ＤＣコンバータ９間の電路が遮断される。
【００２４】
傾斜スイッチ１１は、接点部材２２が動く（転がる）ことにより接点を開放する物理スイッチであるため、電源や制御用のＩＣ等が不要である。よって、傾斜スイッチ１１を用いることで、簡単な構成でかつ低コストに設置異常時電源遮断手段１０を実現できる。なお、傾斜スイッチ１１の具体的な構成は図２のものに限定されない。
【００２５】
（実施の形態の作用及び効果）
以上説明したように、本実施の形態に係る通信装置１では、筐体２の重力方向に対する傾斜角度が予め設定された角度範囲外であるとき、電源回路５から各デバイス４への電源供給を遮断する設置異常時電源遮断手段１０を備えている。
【００２６】
設置異常時電源遮断手段１０を備えることで、定められた設置姿勢以外の姿勢での通信装置１の使用を抑制することが可能になり、通信装置１内の冷却が正常に行われないことによる故障の発生や、両面テープ等で固定された部材の脱落等の不具合を抑制することが可能になる。つまり、本実施の形態によれば、仕様外の設置による動作異常や故障を抑制することが可能になる。
【００２７】
また、設置異常時電源遮断手段１０として、筐体２の重力方向に対する傾斜角度が予め設定された角度範囲外であるときに、接点部材２２が接点から離間してＡＣ−ＤＣコンバータ８とＤＣ−ＤＣコンバータ９間の電路を遮断する傾斜スイッチ１１を用いているため、傾斜スイッチ１１への電源供給や制御用のＩＣ等が不要となり、簡単な構成でかつ低コストに設置異常時電源遮断手段１０を実現できる。
【００２８】
（他の実施の形態）
図３に示す通信装置３１は、基本的に図１の通信装置１と同様の構成であるが、設置異常時電源遮断手段１０の構成が異なっている。
【００２９】
通信装置３１では、ＤＣ−ＤＣコンバータ９は、出力制御信号を入力するための出力制御信号入力端子９ａを有し、出力制御信号入力端子９ａから前記出力制御信号が入力されているときにデバイス４に直流電源信号を出力するように構成されている。通信装置３１では、設置異常時電源遮断手段１０は、ＤＣ−ＤＣコンバータ９に出力制御信号を出力するか否かにより、各デバイス４への電源供給の有無を制御するように構成されている。
【００３０】
具体的には、設置異常時電源遮断手段１０は、ＡＣ−ＤＣコンバータ９から出力された直流電源信号を変圧して出力制御信号を生成する（直流電源信号を出力制御信号のレベルに変圧する）変圧手段３２と、変圧手段３２の出力とＤＣ−ＤＣコンバータ９の出力制御信号入力端子９ａとを接続する出力制御信号用配線３３と、出力制御信号用配線３３に設けられた傾斜スイッチ１１と、を有している。
【００３１】
変圧手段３２としては、ＤＣ−ＤＣコンバータを用いることができる。なお、ＡＣ−ＤＣコンバータ９から直接出力制御信号のレベルと同等の電圧の直流電源信号を取り出せる場合には、変圧手段３２は省略可能である。
【００３２】
傾斜スイッチ１１としては、図２で説明したものと同様のものを用いることができる。通信装置３１では、傾斜スイッチ１１は、出力制御信号用配線３３に設けられており、筐体２の重力方向に対する傾斜角度が予め設定された角度範囲外であるとき、接点部材２２が接点から離間して出力制御信号用配線３３の導通を遮断するように構成される。
【００３３】
通信装置３１では、筐体２の重力方向に対する傾斜角度が予め設定された角度範囲内であるときには、接点部材２２が両電極２１に接触して接点が閉じられているため、変圧手段３２からの出力制御信号が傾斜スイッチ１１を介してＤＣ−ＤＣコンバータ９の出力制御信号入力端子９ａに入力され、ＤＣ−ＤＣコンバータ９から各デバイス４に電源供給がなされる。
【００３４】
また、通信装置３１では、筐体２の重力方向に対する傾斜角度が予め設定された角度範囲外となると、接点部材２２が接点から離間して出力制御信号用配線３３の導通が遮断され、変圧手段３２からの出力制御信号がＤＣ−ＤＣコンバータ９に入力されなくなる。その結果、ＤＣ−ＤＣコンバータ９から各デバイス４への電源供給が停止される。
【００３５】
このように、通信装置３１によれば、筐体２の重力方向に対する傾斜角度が予め設定された角度範囲外であるときに、電源回路５から各デバイス４への電源供給を遮断することが可能であり、図１の通信装置１と同様の作用効果を得ることが可能である。
【００３６】
図４に示す通信装置４１は、物理スイッチである傾斜スイッチ１１に代えて、重力方向に対する傾斜角度を検出するセンサである傾斜センサ４２を用いて設置異常時電源遮断手段１０を構成したものである。
【００３７】
通信装置４１では、設置異常時電源遮断手段１０は、筐体２の重力方向に対する傾斜角度を検出する傾斜センサ４２と、傾斜センサ４２が検出した傾斜角度が予め設定された角度範囲外であるかを判定し、当該判定に応じて、ＤＣ−ＤＣコンバータ９の出力制御信号入力端子９ａに出力する出力制御信号を制御する傾斜監視部４３と、を有している。傾斜センサ４２および傾斜監視部４３は、ＡＣ−ＤＣコンバータ８が出力する直流電源信号により駆動される。なお、傾斜センサ４２および傾斜監視部４３は、ＡＣ−ＤＣコンバータ８以外の電源により駆動されてもよい。
【００３８】
傾斜センサ４２としては、傾きによって出力がリニアに変化するものを用いることができる。傾斜センサ４２の具体的な構造は特に限定されず、例えば重力加速度を測定することにより傾きを検出するものや、傾きによる電解液の液面の変化を利用したものなど、種々の方式のものを用いることができる。
【００３９】
傾斜監視部４３の出力は、各ＤＣ−ＤＣコンバータ９の出力制御信号入力端子９ａに電気的に接続されている。傾斜監視部４３は、傾斜センサ４２が検出した傾斜角度が予め設定された角度範囲内であるとき、各ＤＣ−ＤＣコンバータ９に出力制御信号を出力し、傾斜センサ４２が検出した傾斜角度が予め設定された角度範囲外であるとき、各ＤＣ−ＤＣコンバータ９への出力制御信号を停止するように構成されている。
【００４０】
さらに、通信装置４１では、傾斜監視部４３は、電源投入時に傾斜センサ４２が検出した傾斜角度が予め設定された角度範囲外であるとき、各ＤＣ−ＤＣコンバータ９に出力制御信号を出力しないように構成され、かつ、デバイス４に電源供給を開始した後（通信装置４１の使用中）に傾斜センサ４２が検出した傾斜角度が予め設定された角度範囲外となったとき、所定時間各ＤＣ−ＤＣコンバータ９への出力制御信号の出力を継続しつつ警告（アラーム）を発した後に、出力制御信号を停止するように構成される。
【００４１】
これは、通信装置４１の使用中に、例えば通信装置４１を移動させたり通信装置４１に人や物がぶつかる等して、通信装置４１の設置姿勢が一時的に傾いてしまった場合に、直ちに各デバイス４への電源供給が停止されると、通信が中断されてデータが破損する等の不具合が発生するおそれがあるためである。
【００４２】
通信装置４１は、警告用のＬＥＤ（発光ダイオード）４４と、ＬＥＤ４４を制御するＬＥＤ制御部４５を備えている。ＬＥＤ制御部４５は、ＡＣ−ＤＣコンバータ８が出力する直流電源信号により駆動される。
【００４３】
本実施の形態では、傾斜監視部４３は、電源投入の有無にかかわらず、傾斜センサ４２が検出した傾斜角度が予め設定された角度範囲外であるときには、ＬＥＤ制御部４５に警告信号を出力するように構成されている。ＬＥＤ制御部４５は、傾斜監視部４３から警告信号が入力されたときに、ＬＥＤ４４を発光させて警告を行う。
【００４４】
なお、音により警告を行うためのブザーをさらに備え、傾斜センサ４２が検出した傾斜角度が予め設定された角度範囲外であるときに、ブザーにより警告音を発するように傾斜監視部４３を構成してもよい。また、通信装置４１に、ネットワーク管理用の管理装置が接続される場合には、管理装置に管理情報として警告メッセージを送信するように傾斜監視部４３を構成してもよい。
【００４５】
ここで、傾斜監視部４３における制御フローを図５により説明する。傾斜監視部４３は、通信装置４１の主電源がＯＮとなり、傾斜センサ４２および傾斜監視部４３に電源供給がされたときに、図５のフローを開始するように構成される。また、傾斜監視部４３は、自身に電源供給が開始された時点では、ＤＣ−ＤＣコンバータ９に出力制御信号を出力しない。
【００４６】
図５に示すように、傾斜監視部４３は、まず、ステップＳ１にて、傾斜センサ４２が検出した傾斜角度が予め設定された角度範囲外であるかを判定する。ステップＳ１でＹＥＳと判定された場合、ステップＳ２にて、傾斜監視部４３がＬＥＤ制御部４５に警告信号を出力（あるいは出力を継続）し、ＬＥＤ４４を点灯させて警告を発する。その後、ステップＳ１に戻る。つまり、傾斜角度が予め設定された角度範囲内となるまで、ステップＳ１〜Ｓ２を繰り返す。この間、ＤＣ−ＤＣコンバータ９には出力制御信号が出力されず、デバイス４には電源供給が行われないことになる。
【００４７】
ステップＳ１にてＮＯと判定された場合、ステップＳ３にて、傾斜監視部４３が、ＤＣ−ＤＣコンバータ９に出力制御信号を出力する。これにより、ＤＣ−ＤＣコンバータ９から各デバイス４に電源供給が行われる。その後、ステップＳ４にて、ＬＥＤ４４を消灯（またはＬＥＤ４４の消灯を継続）する。
【００４８】
その後、ステップＳ５にて、傾斜監視部４３がタイマカウントをリセットし、ステップＳ６にて、傾斜センサ４２が検出した傾斜角度が予め設定された角度範囲外であるかを判定する。ステップＳ６にてＮＯと判定された場合、通信装置４１が正しい設置姿勢で使用されていることになるので、ステップＳ４に戻り、各デバイス４への電源供給を継続する。
【００４９】
ステップＳ６にてＹＥＳと判定された場合、ステップＳ７にて、傾斜監視部４３がＬＥＤ制御部４５に警告信号を出力（あるいは出力を継続）し、ＬＥＤ４４を点灯させて警告を発する。その後、ステップＳ８にて傾斜監視部４３がタイマカウントをインクリメントし、ステップＳ９にて、傾斜監視部４３がタイマカウントが所定値以下であるか（傾斜角度が角度範囲外である状態が所定時間継続しているか）を判定する。ステップＳ９にてＹＥＳと判定された場合、ステップＳ６に戻る。
【００５０】
ステップＳ９にてＮＯと判定された場合、傾斜角度が角度範囲外である状態が所定時間継続していることになるため、ステップＳ１０にて、傾斜監視部４３がＤＣ−ＤＣコンバータ９への出力制御信号を停止する。これにより、ＤＣ−ＤＣコンバータ９から各デバイス４への電源供給が停止される。その後、ステップＳ１に戻る。
【００５１】
通信装置４１では、傾斜センサ４２を１つ用いる場合を説明したが、複数の傾斜センサ４２を用いることも可能である。例えば、図６に示すように、２つの傾斜センサ４２を用い、２つの傾斜センサ４２の設置角度を異ならせて配置することも可能である。
【００５２】
この場合、両傾斜センサ４２として、測定角度範囲が９０度（±４５度）のものを用い、両傾斜センサ４２の設置角度を９０度異ならせて配置することで、通信装置４１が裏返された状態（水平面からの傾斜角度が１８０度の状態）も検知することが可能になる。なお、図６では、両傾斜センサ４２を通信用回路基板３に搭載する場合を示しているが、例えば、一方の傾斜センサ４２を通信用回路基板３の基板表面と垂直な面をなす筐体２の壁面に設けることも可能である。
【００５３】
通信装置４１のように、設置異常時電源遮断手段１０に傾斜センサ４２を用いることで、ＬＥＤ４４により警告を発したり、あるいは、電源投入時と電源投入後に異なる制御を行うことが可能になり、電源投入後に傾斜角度が予め設定された角度範囲外となったときには、所定時間警告を行った後に出力制御信号を停止するといった制御を行うことが可能になる。
【００５４】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５５】
［１］筐体（２）と、前記筐体（２）内に収容されている通信制御用の通信用回路基板（３）と、前記通信用回路基板（３）に搭載された各デバイス（４）に電源を供給するための電源回路（５）と、前記筐体（２）の重力方向に対する傾斜角度が予め設定された角度範囲外であるとき、前記電源回路（５）から前記各デバイス（４）への電源供給を遮断する設置異常時電源遮断手段（１０）と、を備えた、通信装置（１）。
【００５６】
［２］前記電源回路（５）は、外部電源から供給された交流電源信号を直流電源信号に変圧するＡＣ−ＤＣコンバータ（８）と、前記ＡＣ−ＤＣコンバータ（８）から出力された直流電源信号を所定の電圧に変圧して前記デバイス（４）に出力するＤＣ−ＤＣコンバータ（９）と、を有し、前記設置異常時電源遮断手段（１０）は、前記ＡＣ−ＤＣコンバータ（８）と前記ＤＣ−ＤＣコンバータ（９）間で直流電源信号を伝送する電路に設けられ、前記筐体（２）の重力方向に対する傾斜角度が予め設定された角度範囲外であるとき、接点部材（２２）が接点から離間して前記電路を遮断するように構成された傾斜スイッチ（１１）を有する、［１］に記載の通信装置（１）。
【００５７】
［３］前記電源回路（５）は、外部電源から供給された交流電源信号を直流電源信号に変圧するＡＣ−ＤＣコンバータ（８）と、前記ＡＣ−ＤＣコンバータ（８）から出力された直流電源信号を所定の電圧に変圧して前記デバイス（４）に出力するＤＣ−ＤＣコンバータ（９）と、を有し、前記ＤＣ−ＤＣコンバータ（９）は、出力制御信号を入力するための出力制御信号入力端子（９ａ）を有し、前記出力制御信号入力端子（９ａ）から前記出力制御信号が入力されているときに前記デバイス（４）に直流電源信号を出力するように構成され、前記設置異常時電源遮断手段（１０）は、前記ＡＣ−ＤＣコンバータ（９）から出力された直流電源信号を変圧して前記出力制御信号を生成する変圧手段（３２）と、前記変圧手段（３２）の出力と前記ＤＣ−ＤＣコンバータ（９）の前記出力制御信号入力端子（９）とを接続する出力制御信号用配線（３３）と、前記出力制御信号用配線（３３）に設けられ、前記筐体（２）の重力方向に対する傾斜角度が予め設定された角度範囲外であるとき、接点部材（２２）が接点から離間して前記出力制御信号用配線（３）の導通を遮断するように構成された傾斜スイッチ（１１）と、を有している、［１］に記載の通信装置（３１）。
【００５８】
［４］前記電源回路（５）は、外部電源から供給された交流電源信号を直流電源信号に変圧するＡＣ−ＤＣコンバータ（８）と、前記ＡＣ−ＤＣコンバータ（８）から出力された直流電源信号を所定の電圧に変圧して前記デバイス（４）に出力するＤＣ−ＤＣコンバータ（９）と、を有し、前記ＤＣ−ＤＣコンバータ（９）は、出力制御信号を入力するための出力制御信号入力端子（９ａ）を有し、前記出力制御信号入力端子（９ａ）から前記出力制御信号が入力されているときに前記デバイス（４）に直流電源信号を出力するように構成され、前記設置異常時電源遮断手段（１０）は、前記ＡＣ−ＤＣコンバータ（８）が出力する直流電源信号により駆動され、前記筐体（２）の重力方向に対する傾斜角度を検出する傾斜センサ（４２）と、前記ＡＣ−ＤＣコンバータ（８）が出力する直流電源信号により駆動され、前記傾斜センサ（４２）が検出した傾斜角度が予め設定された角度範囲外であるかを判定し、当該判定に応じて、前記ＤＣ−ＤＣコンバータ（９）の前記出力制御信号入力端子（９ａ）に出力する前記出力制御信号を制御する傾斜監視部（４３）と、を有している、［１］に記載の通信装置（４１）。
【００５９】
［５］前記傾斜監視部（４３）は、電源投入時に前記傾斜センサ（４２）が検出した傾斜角度が予め設定された角度範囲外であるとき、前記ＤＣ−ＤＣコンバータ（９）に前記出力制御信号を出力しないように構成され、かつ、前記デバイス（４）に電源供給を開始した後に前記傾斜センサ（４２）が検出した傾斜角度が予め設定された角度範囲外となったとき、所定時間前記ＤＣ−ＤＣコンバータ（９）への前記出力制御信号の出力を継続しつつ警告を発した後に、前記出力制御信号を停止するように構成される、［４］に記載の通信装置（４１）。
【００６０】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６１】
本発明は、その趣旨を逸脱しない範囲で適宜変形して実施することが可能である。
【００６２】
例えば、図４の通信装置４１において、ＡＣ−ＤＣコンバータ８とＤＣ−ＤＣコンバータ９間で直流電源信号を伝送する電路にスイッチを設け、当該スイッチを開閉制御することで、デバイス４への電源供給の有無を制御するように傾斜監視部４３を構成してもよい。
【符号の説明】
【００６３】
１…通信装置
２…筐体
３…通信用回路基板
４…デバイス
５…電源回路
６…ポート
８…ＡＣ−ＤＣコンバータ
９…ＤＣ−ＤＣコンバータ
１０…設置異常時電源遮断手段
１１…傾斜スイッチ
【図１】
2017188714.tif 000003
【図２】
2017188714.tif 000004
【図３】
2017188714.tif 000005
【図４】
2017188714.tif 000006
【図５】
2017188714.tif 000007
【図６】
2017188714.tif 000008